(57)【要約】      （修正有）【課題】低消費電力及び高カップリング効率を有する光トランシーバを提供する。【解決手段】光トランシーバは、カップリングアセンブリ１０とコンデンシングアセンブリ２０とを含む。カップリングアセンブリは第１表面１１と第２表面とを含む。第１表面と第２表面との間に角度が形成される。複数の第１のレンズ１３が第１表面上に配置される。コンデンシングアセンブリはファスナー、複数のフィルタ、リフレクタ、及び光通過領域を含む。ファスナーは第３表面と第４表面とを含む。フィルタ及び光通過領域は第３表面上に配置される。リフレクタは第４表面上に配置される。コンデンシングアセンブリは第２表面に結び付けられる。フィルタは第１のレンズと光学的にアライメントされる。フィルタの各々は一ペアの光出入面と一ペアの側面とを含む。各フィルタの側面は第１表面に垂直である。カップリングアセンブリは異なる波長の光を受け取る。【選択図】図１
2016212409.tif 000002
【特許請求の範囲】
【請求項１】
光トランシーバであって、
カップリングアセンブリとコンデンシングアセンブリとを有し、前記カップリングアセンブリは対向して配置された第１表面と第２表面とを含み、前記第１表面と第２表面との間に角度が形成され、複数の第１のレンズが前記第１表面上に配置され、前記コンデンシングアセンブリはファスナー、複数のフィルタ、リフレクタ、及び光通過領域を含み、前記ファスナーは対向して配置された第３表面と第４表面とを含み、前記複数のフィルタ及び光通過領域は前記第３表面上に配置され、前記光通過領域は前記複数のフィルタの横にあり、前記リフレクタは前記第４表面上に配置され、前記コンデンシングアセンブリは前記第２表面に結び付けられ、前記複数のフィルタは前記複数の第１のレンズと光学的にアライメントされ、前記フィルタの各々は一ペアの光出入面と一ペアの側面とを含み、前記一ペアの側面は前記一ペアの光出入面の間に接続され、前記一ペアの光出入面は前記第２表面と第３表面に別々に取り付けられ、各フィルタの側面は前記第１表面に垂直であり、前記カップリングアセンブリは異なる波長の光を受け取り、前記異なる波長の光は前記複数のフィルタを通って前記ファスナーに入り、前記リフレクタ及びファイバーにより多重化または逆多重化され、多重化または逆多重化された光は前記光通過領域を通って前記カップリングアセンブリに入る、光トランシーバ。
【請求項２】
各第１のレンズの主軸は前記第１表面に対して垂直である、
請求項１に記載の光トランシーバ。
【請求項３】
前記第１表面と第２表面との間の角度範囲は６°から１３°である、
請求項２に記載の光トランシーバ。
【請求項４】
前記光トランシーバはさらに光ファイバー収容部材を有し、前記カップリングアセンブリはさらに全反射リフレクタと第２のレンズとを有し、前記光ファイバー収容部材は光ファイバーを収容するように構成され、前記光ファイバーは前記第２のレンズと光学的にアライメントされ、前記全反射リフレクタは、前記第２のレンズとコンデンシングアセンブリとの間で、異なる波長の光を反射するように構成されている、
請求項２に記載の光トランシーバ。
【請求項５】
前記カップリングアセンブリと前記光ファイバー収容部材は成形により一体的に形成される、請求項４に記載の光トランシーバ。
【請求項６】
前記光ファイバー収容部材は光ファイバジャックを備え、前記光ファイバジャックは前記光ファイバーを収容するように構成され、前記光トランシーバはさらにフェルールを有し、前記フェルールは光ファイバーの端面にあり、第２のレンズに対向し、前記フェルールは傾斜を有し、前記傾斜は前記フェルールの横に、前記第２のレンズに対向して配置され、前記傾斜は、前記第２のレンズを通り、前記フェルールに入射する光を、前記第２のレンズの主軸からそれた方向に向けて反射するように構成され、前記フェルールにより反射された光が元の光路に沿って前記第２のレンズに戻らないようにしている、
請求項５に記載の光トランシーバ。
【請求項７】
前記フェルールはセラミックまたは金属材料からできている、
請求項６に記載の光トランシーバ。
【請求項８】
前記第２のレンズの主軸は前記傾斜と交差し、前記傾斜と前記第２のレンズの主軸との間に形成された角の範囲は８２°から８６°である、
請求項６に記載の光トランシーバ。
【請求項９】
前記カップリングアセンブリはグルーブと複数のディスペンシンググルーブとを備え、前記複数のディスペンシンググルーブは前記グルーブの両側に分散し、前記グルーブと連通し、前記複数のフィルタは前記グルーブに収容され、前記第２表面は前記グルーブの底辺にあり、前記ディスペンシンググルーブは、接着剤で満たされ、前記複数のフィルタを接着により前記第２表面に接続するように構成されている、
請求項２に記載の光トランシーバ。
【請求項１０】
前記カップリングアセンブリは成形により一体的に形成され、前記接着剤の反射係数は成形材料の反射係数と前記フィルタの反射係数との間にある、
請求項９に記載の光トランシーバ。
【請求項１１】
前記リフレクタは、前記ファスナーの第４表面にコーティングされた反射コーティングであるか、または前記ファスナーとは独立し、接着により前記第４表面に取り付けられる、
請求項９に記載の光トランシーバ。
【請求項１２】
前記複数の第１のレンズは等間隔の行に分散され、２つの隣接するフィルタの中心軸間の距離はＤであり、前記ファスナーの前記第３表面と前記第４表面との間の垂直距離はＴであり、前記ファスナーにおける前記異なる波長の光の反射角はαであり、Ｄ＝２＊Ｔａｎ（α）＊Ｔである、請求項１に記載の光トランシーバ。
【請求項１３】
前記２つの隣接するフィルタの中心軸間の距離は２５０マイクロメートルから１５００マイクロメートルである、請求項１２に記載の光トランシーバ。
【請求項１４】
前記フィルタの一ペアの光出入表面は平行に配置され、前記フィルタの一ペアの側面も平行に配置されている、請求項１に記載の光トランシーバ。
【請求項１５】
光通信製品であって、
光ファイバーと複数のレーザとを含み、前記複数のレーザはそれぞれ異なる波長の光を放射するように構成され、前記光通信製品はさらに、請求項１ないし１４いずれか一項に記載の光トランシーバを含み、前記光トランシーバは前記複数のレーザにより放射された異なる波長の光を受け取り、前記異なる波長の光を前記光ファイバーに送り、多重化機能を実装する、光通信製品。
【請求項１６】
光通信製品であって、
光ファイバーとレシーバチップとを含み、光ファイバーはレシーバチップに異なる波長の光を送るように構成され、前記光通信製品はさらに、請求項１ないし１４いずれか一項に記載の光トランシーバを含み、前記光トランシーバは前記光ファイバーにより放射された異なる波長の光を受け取り、前記異なる波長の光を前記レシーバチップに送り、多重化機能を実装する、光通信製品。
【発明の詳細な説明】
【技術分野】
【０００１】
本発明は、光通信技術の分野に関し、特に、波長分割の原理を用いる光トランシーバ及びそれに関連する光モジュールに関する。
【背景技術】
【０００２】
光トランシーバは、光通信モジュールとして、光通信ネットワークの広帯域、高速、及び高密度のプラグ着脱可能ソリューションに対する要求を満たすことができる。ＱＳＦＰ（ｑｕａｄ  ｓｍａｌｌ  ｆｏｒｍ−ｆａｃｔｏｒ  ｐｌｕｇｇａｂｌｅ）モジュールを一例として用い、速度２５Ｇｂｐｓのレーザを用いることにより、４チャネルＱＳＦＰモジュールの伝送速度は１００Ｇｂｐｓにまで達し得る。現在、ＱＳＦＰ光トランシーバモジュールがあり、一ペアの光ファイバーと、一ペアの平面光波回路スプリッタ、４つの光トランスミッタチップアレイ、及び４つの光レシーバチップアレイを含む。光ファイバーは一方向に４つのチャネルの光信号を伝送するように構成されている（４つのチャネルの光信号の波長はそれぞれλ１、λ２、λ３、及びλ４である）。平面光波回路スプリッタは別々に、光信号を多重化及び逆多重化するように構成されている。光信号の波長は４つのチャネルのλ１、λ２、λ３、及びλ４である。４つの光トランスミッタチップアレイの各々は、１つのチャネルの光信号を放射し、４つの光レシーバチップアレイの各々は、１つのチャネルの光信号を受け取る。この技術的ソリューションの欠点は、現在のところ、光トランスミッタチップアレイにより放射される光の間の直接カップリングであり、平面光波回路スプリッタの信頼性が低く、伝送損失が大きく、光トランシーバの低消費電力要求の実装に向いていないことにある。
【発明の概要】
【０００３】
本発明は、低消費電力及び高カップリング効率という利点を有する光トランシーバを提供する。
【０００４】
上記の目的を達成するため、本発明の実施形態は以下の技術的ソリューションを提供する：
【０００５】
第１の態様によると、本発明が提供する光トランシーバは、  カップリングアセンブリとコンデンシングアセンブリとを含み、前記カップリングアセンブリは対向して配置された第１表面と第２表面とを含み、前記第１表面と第２表面との間に角度が形成され、複数の第１のレンズが前記第１表面上に配置され、前記コンデンシングアセンブリはファスナー、複数のフィルタ、リフレクタ、及び光通過領域を含み、前記ファスナーは対向して配置された第３表面と第４表面とを含み、前記複数のフィルタ及び光通過領域は前記第３表面上に配置され、前記光通過領域は前記複数のフィルタの側面にあり、前記リフレクタは前記第４表面上に配置され、前記コンデンシングアセンブリは前記第２表面に結び付けられ、前記複数のフィルタは前記複数の第１のレンズと光学的にアライメントされ、前記フィルタの各々は一ペアの光出入面と一ペアの側面とを含み、前記一ペアの側面は前記一ペアの光出入面の間に接続され、前記一ペアの光出入面は前記第２表面と第３表面に別々に取り付けられ、各フィルタの側面は前記第１表面に垂直であり、前記カップリングアセンブリは異なる波長の光を受け取り、前記異なる波長の光は前記複数のフィルタを通って前記ファスナーに入り、前記リフレクタ及びファイバーにより多重化または逆多重化され、多重化または逆多重化された光は前記光通過領域を通って前記カップリングアセンブリに入る。
【０００６】
第１の態様を参照して、第１の実施形態において、  各第１のレンズの主軸は前記第１表面に対して垂直である。
【０００７】
第１の態様の第１の実施形態を参照して、第２の実施形態において、前記角度の範囲は６°から１３°である。
【０００８】
第１の態様の第１の実施形態を参照して、第３の実施形態において、前記光トランシーバはさらに光ファイバー収容部材を含み、前記カップリングアセンブリはさらに全反射リフレクタ（ｔｏｔａｌ  ｒｅｆｌｅｃｔｏｒ）と第２のレンズとを含み、前記光ファイバー収容部材は光ファイバーを収容するように構成され、前記光ファイバーは前記第２のレンズと光学的にアライメントされ、前記全反射リフレクタは、前記第２のレンズとコンデンシングアセンブリとの間で、異なる波長の光を反射するように構成されている。
【０００９】
第１の態様の第３の実施形態を参照して、第４の実施形態において、前記カップリングアセンブリと前記光ファイバー収容部材は成形により一体的に形成される。
【００１０】
第１の態様の第４の実施形態を参照して、第５の実施形態において、前記光ファイバー収容部材は光ファイバジャックを備え、前記光ファイバジャックは前記光ファイバーを収容するように構成され、前記光トランシーバはさらにフェルールを含み、前記フェルールは光ファイバーの端面にあり、第２のレンズに対向し、前記フェルールは傾斜を含み、前記傾斜は前記フェルールの横に、前記第２のレンズに対向して配置され、前記傾斜は、前記第２のレンズを通り、前記フェルールに入射する光を、前記第２のレンズの主軸からそれた方向に向けて反射するように構成され、前記フェルールにより反射された光が元の光路に沿って前記第２のレンズに戻らないようにしている。
【００１１】
第１の態様の第５の実施形態を参照して、第６の実施形態において、前記フェルールはセラミックまたは金属材料からできている。
【００１２】
第１の態様の第５の実施形態を参照して、第７の実施形態において、前記第２のレンズの主軸は前記傾斜と交差し、前記傾斜と前記第２のレンズの主軸との間に形成された角度の範囲は８２°から８６°である。
【００１３】
第１の態様の第１の実施形態を参照して、第８の実施形態において、前記カップリングアセンブリはグルーブと複数のディスペンシンググルーブとを備え、前記複数のディスペンシンググルーブは前記グルーブの両側に分散し、前記グルーブと連通し、前記複数のフィルタは前記グルーブに収容され、前記第２表面は前記グルーブの底辺にあり、前記ディスペンシンググルーブは、接着剤で満たされ、前記複数のフィルタを接着により前記第２表面に接続するように構成されている。
【００１４】
第１の態様の第８の実施形態を参照して、第９の実施形態において、前記カップリングアセンブリは成形により一体的に形成され、前記接着剤の反射係数は前記成形材料の反射係数と前記フィルタの反射係数との間にある。
【００１５】
第１の態様の第８の実施形態を参照して、第１０の実施形態において、前記リフレクタは、前記ファスナーの第４表面にコーティングされた反射コーティングであるか、または前記ファスナーとは独立し、接着により前記第４表面に取り付けられる。
【００１６】
第１の態様を参照して、第１１の実施形態において、前記複数の第１のレンズは等間隔の行に分散され、２つの隣接するフィルタの中心軸間の距離はＤであり、前記ファスナーの前記第３表面と前記第４表面との間の垂直距離はＴであり、前記ファスナーにおける前記異なる波長の光の反射角度はαであり、Ｄ＝２＊Ｔａｎ（α）＊Ｔである。
【００１７】
第１の態様の第１１の実施形態を参照して、第１２の実施形態において、前記２つの隣接するフィルタの中心軸間の距離は２５０マイクロメートルから１５００マイクロメートルである。
【００１８】
第１の態様を参照して、第１３の実施形態において、前記フィルタの一ペアの光出入表面は平行に配置され、前記フィルタの一ペアの側面も平行に配置されている。
【００１９】
第２の態様によると、本発明が提供する光通信製品は、光ファイバーと複数のレーザとを含み、複数のレーザはそれぞれ異なる波長の光を放射するように構成され、光通信製品はさらに、第１の態様と、第１の態様の第１ないし第１３の実施形態とのうちいずれか一項による光トランシーバを含み、前記光トランシーバは前記複数のレーザにより放射された異なる波長の光を受け取り、前記異なる波長の光を前記光ファイバーに送り、多重化機能を実装する。
【００２０】
第３の態様によると、本発明が提供する光通信製品は、光ファイバーとレシーバチップとを含み、光ファイバーはレシーバチップに異なる波長の光を送るように構成され、光通信製品はさらに、第１の態様と、第１の態様の第１ないし第１３の実施形態とのうちいずれか一項による光トランシーバを含み、前記光トランシーバは前記光ファイバーにより送られた異なる波長の光を受け取り、前記異なる波長の光を前記レシーバチップに送り、逆多重化機能を実装する。
【００２１】
本発明による光トランシーバ及び光通信製品では、カップリングアセンブリの第１表面と第２表面との間に角度をつけ、フィルタの側面が第１表面に対して垂直になるように設計することにより、フィルタを通ってファスナーに入る光が、フィルタの中心を通ることができ、その光はフィルタの側面に平行であり、フィルタの光学性能が最適になるようにされ、フィルタから入力される光の光通過領域を確保し、光の光通過損失を低減し、それにより光トランシーバが低消費電力と高カップリング効率を実現できる。
【図面の簡単な説明】
【００２２】
本発明の実施形態の技術的ソリューションをより明確に説明するため、実施形態を説明するのに必要な添付図面を以下に簡単に説明する。言うまでもなく、以下に説明する添付図面は、本発明の実施形態を示しており、本技術分野の当業者は、創作的努力をせずとも、これらの添付図面から他の図面に想到することもできるだろう。
【図１】本発明の一実施形態による光トランシーバを示す３次元模式図である。
【図２】本発明の一実施形態による光トランシーバを示す３次元展開図である。
【図３】本発明の一実施形態による光トランシーバを示す断面図である。
【図４】本発明の一実施形態による光トランシーバを示す断面展開図である。
【図５】本発明の一実施形態による光トランシーバのフェルールを示す３次元模式図である。
【図６】本発明の一実施形態による、光トランシーバのフェルールが第２のレンズから来る光を反射することを示す模式図である。
【図７】本発明の一実施形態による光トランシーバの光伝送原理を示す模式図である。
【図８】本発明の一実施形態による光トランシーバを示す模式図である。
【発明を実施するための形態】
【００２３】
下記は、本発明の実施形態による添付図面を参照して本発明の実施形態における技術的ソリューションの明確かつ完全な説明である。
【００２４】
本発明は光トランシーバを提供する。一実施形態では、光トランシーバは光ファイバーと複数のレーザとの間に配置される。複数のレーザは別々に、異なる波長のビームを放射する。光トランシーバは、異なる波長のビームを受け取り、異なる波長のビームを多重する、すなわち異なる波長の複数のビームを集積して一本の光ビームを形成し、その一本の光ビームを光ファイバーを用いて送信するように構成されている。他の一実施形態では、光トランシーバは光ファイバーとレシーバチップとの間に配置される。光ファイバーにより送信されるビームは異なる波長の光を含む。レシーバチップは異なる波長の光を受光し得る。光トランシーバは光ファイバーにより送信されたビームを受光し、そのビームを逆多重（ｄｅｍｕｌｔｉｐｌｅｘ）して複数の光ビームを形成し、すなわち異なる波長のビームを互いに分離し、分離されたビームをレシーバチップに送信する。光トランシーバが光路を送受するプロセスは逆にできる。
【００２５】
図１、図２、図３、及び図４を参照して、光トランシーバ１００は、カップリングアセンブリ１０とコンデンシングアセンブリ２０とを含む。具体的に、カップリングアセンブリ１０は、ビームを送受するように構成され、コンデンシングアセンブリ２０は、カップリングアセンブリ１０が受け取ったビームを多重化または逆多重化するように構成されている。多重化または逆多重化されたビームはカップリングアセンブリ１０により送られる。
【００２６】
カップリングアセンブリ１０は、光ファイバーとレーザに光学的インカップリングとアウトカップリングを行うように機能し、対向して配置された第１表面１１と第２表面１２とを含む。図３に示すように、第２表面１２と第１表面１１との間に角度を形成し、すなわち、第２表面１２は第１表面１１に対して傾いている。複数の第１のレンズ１３が前記第１表面１１上に配置される。この実施形態では、第１のレンズ１３は軸方向に垂直に設計されている、言い換えると、第１のレンズ１３の主軸は第１表面１１に対して垂直である。第１のレンズ１３は軸方向垂直に設計されているので、本発明の光トランシーバ１００のカップリング許容範囲を大きくできる。かかる設計は製造プロセスにおいて容易に製造され、それゆえ製品の歩留まり率を改良してコストを低減できる。複数の第１のレンズ１３は、順次的に隣接した行で構成される。実際には、他の実施形態では、複数の第１のレンズ１３は等間隔の行で構成されてもよい。
【００２７】
コンデンシングアセンブリ２０は、波長が異なるレーザ光を多重及び逆多重（ＭＵＸ／ＤＥＭＵＸ）するように機能し、ファスナー２１、複数のフィルタ２２、リフレクタ２３を含む。ファスナー２１は、（図３に示したように）対向して配置された第３表面２１１と第４表面２１２を含む。複数のフィルタ２２は第３表面２１１上に配置される。リフレクタ２３は第４表面２１２上に配置される。コンデンシングアセンブリ２０はさらに、光通過領域２４を含む。光通過領域２４は第３表面２１１上に配置され、複数のフィルタ２２の横にある。具体的に、光通過領域２４の厚さはフィルタ２２の厚さと同じである。光通過領域２４は２つの表面が平行なオールパスフィルタ（ａｌｌ−ｐａｓｓ  ｆｉｌｔｅｒ）である。光通過領域２４は第３表面２１１にも取り付けられている。光通過領域２４は、多重化ビームが低損失で通過し、多重化及び逆多重化機能を行うカップリングアセンブリ１０に入るように機能する。コンデンシングアセンブリ２０は第２表面１２に取り付け（ｆａｓｔｅｎ）られ、複数のフィルタ２２はそれぞれ複数の第１のレンズ１３と光学的にアライメントされている。すなわち、第１のレンズ１３からカップリングアセンブリ１０に入射する光はそれぞれフィルタ２２に送られ、複数のフィルタ２２は複数の第１のレンズ１３に１対１対応している。図３に示したように、４つの第１のレンズ１３が第１表面１１に配置される。４つのフィルタ２２は第３表面２１１上に配置される。光通過領域２４とフィルタ２２は第２表面１２と第３表面２１１との間にある。光通過領域２４はフィルタ２２の横にある。この実施形態では、第２表面１２は第３表面２１１に平行である。
【００２８】
図４を参照して、フィルタ２２の各々は一ペアの光出入表面２２１と一ペアの側面２２２とを含む。一ペアの側面２２２は光出入面２２１の間に接続される。一ペアの光出入表面２２１はそれぞれ、第２表面１２と第４表面２１２とに取り付けられている。フィルタ２２の各々の側面２２２は第１表面１１に垂直である。具体的に、フィルタ２２の側面２２２は傾斜切断プロセスにより切断され、フィルタ２２を通過する光が側面２２２に平行になっている。それにより、光の光通過領域を確保し、光通過損失を低減し、光トランシーバ１００が低消費電力の長所を有する。
【００２９】
図７を参照して、図７中で矢印のついた破線は光を表す。波長が異なる光が、複数のフィルタ２２を通ってファスナー２１に入る。フィルタ２２のフィルタ原理により、異なるフィルタ２２の各々は、そのフィルタにマッチする波長の光のみを透過させてもよい。本発明の一実施形態では、波長が異なる４つのタイプの光がファスナー２１に入射する。波長が異なる光は、リフレクタ２３とフィルタ２２を用いて多重化または逆多重化される。光がフィルタ２２を通り、リフレクタ２３に入射する時、光とリフレクタ２３との間に反射角があることにより、リフレクタ２３が光を反射できる。リフレクタ２３により反射された光は、その光が入射したフィルタ２２には戻らない。光が他のフィルタ２２に入射した時、異なるフィルタ２２の各々はそのフィルタにマッチする波長の光しか通さないので、光は反射され続ける。コンデンシングアセンブリ２０の光通過領域２４に来ると、光は、光通過領域２４を通ってカップリングアセンブリ１０に入る。
【００３０】
本発明による光トランシーバ１００では、カップリングアセンブリ１０の第１表面１１と第２表面１２との間に角度をつけ、フィルタ２２の側面２２２が第１表面１１に垂直になるように設計することにより、フィルタ２２を通ってファスナー２１に入る光が、フィルタ２２の中心を通ることができ、その光はフィルタ２２の側面２２２に平行であり、フィルタの光学性能が最適になるようにされ、フィルタ２２から入力される光の光通過領域を確保し、光の光通過損失を低減し、それにより光トランシーバ１００が低消費電力と高カップリング効率を実現できる。具体的に、フィルタ２２の一ペアの光出入表面２２１は平行に配置され、フィルタ２２の一ペアの側面２２２も平行に配置されている。
【００３１】
本発明のカップリングアセンブリ１０の第１表面１１と第２表面１２との間の角度Ａ１の幅は、６°から１３°までである。
【００３２】
さらに、光トランシーバ１００は、光ファイバー収容部材３０を含む。カップリングアセンブリ１０はさらに全反射リフレクタ（ｔｏｔａｌ  ｒｅｆｌｅｃｔｏｒ）１４と第２のレンズ１５とを含む。光ファイバー収容部材３０は光ファイバーを収容するように構成されている。光ファイバーは第２のレンズ１５と光学的にアライメントされている。全反射リフレクタ１４は、第２のレンズ１５とコンデンシングアセンブリ２０との間で、異なる波長の光を反射するように構成されている。異なる波長の光が、コンデンシングアセンブリ２０の光通過領域２４を通ってカップリングアセンブリ１０に入った後、異なる波長の光は全反射リフレクタ１４に入射する。光は全反射リフレクタ１４により第２のレンズ１５に入射する。反射された光は第２のレンズ１５を通って光ファイバーの一端に集められる。
【００３３】
光ファイバー収容部材３０は光ファイバジャック３１を備え、光ファイバーは光ファイバジャック３１にプラグ着脱可能にアセンブルされ得る。光ファイバー収容部材３０は、光ファイバーを取り付ける（ｆａｓｔｅｎ）インターフェースを含む、すなわち光ファイバーが光ファイバジャック３１に取り付けられる（ｆａｓｔｅｎ）ように設計されていてもよい。
【００３４】
この実施形態では、カップリングアセンブリ１０と光ファイバー収容部材３０とはモールドにより一体成形される。カップリングアセンブリ１０と光ファイバー収容部材３０とはプラスチック成形により製造されてもよく、こうして得られた光トランシーバ１００は小型化及び低コスト化し得る。
【００３５】
図５と図６を両方とも参照して、光トランシーバ１００はさらに、フェルール４０を含む。フェルール４０は光ファイバーの端面にあり、第２のレンズ１５に対向している。フェルール４０は傾斜４１を含む。傾斜４１はフェルール４０の横に、第２のレンズ１５の反対側に配置されている。傾斜４１は、第２のレンズ１５を通り、フェルール４０に入射する光を、第２のレンズ１５の主軸からそれた方向に向けて反射するように構成され、フェルール４０により反射された光が元の光路に沿って第２のレンズ１５に戻らないようにしている。すなわち、傾斜（ｂｅｖｅｌ）４１があるため、フェルール４０により反射された光が元の光路に沿って第２のレンズ１５に戻ったり、さらにカップリングアセンブリ１０に戻ったりできなくなり、それにより異なる波長の光を放射するように構成され第１のレンズに対向するレーザに戻る光を低減する。かかる設計は、戻り損失に敏感な高速レーザを含む光通信製品に応用してもよく、本発明の光トランシーバ１００の光学性能を改良する。
【００３６】
フェルール４０はセラミックまたは金属材料からできている。第２のレンズ１５の主軸は傾斜（ｂｅｖｅｌ）と交差し、傾斜と、第２のレンズ１５の主軸との間に形成された角Ａ２の範囲は８２°から８６°までである。
【００３７】
一実施形態では、カップリングアセンブリ１０にはグルーブ１６と複数のディスペンシンググルーブ１７とが設けられている。複数のディスペンシンググルーブ１７はグルーブ１６の両側に分散し、グルーブ１６と連通している。複数のフィルタ２２はグルーブ１６に収容されている。第２表面１２はグルーブ１６の底辺（ｂｏｔｔｏｍ  ｗａｌｌ）にある。ディスペンシンググルーブ１７は、接着剤で満たされ、接着により第２表面１２に複数のフィルタ２２を接続するように構成されている。グルーブ１６のサイズはフィルタ２２のサイズとマッチしており、すなわちフィルタ２２はグルーブ１６を用いることにより位置決めされ、接着剤を用いて取り付け（ｆａｓｔｅｎ）されている。カップリングアセンブリ１０は成形により一体的に形成される。接着剤の反射係数は成形材料の反射係数とフィルタ２２の反射係数との間にあり、反射の低減と、光トランシーバ１００の挿入損失及び戻り損失の低減とを容易にするようになっている。
【００３８】
リフレクタ２３は、ファスナー２１の第４表面２１２にコーティングされた反射コーティングであるか、またはファスナー２１とは独立し、接着により第４表面に取り付け（ｆａｓｔｅｎ）されている。
【００３９】
図７を参照して、複数の第１のレンズ１３は等間隔の行に分散している。２つの隣接するフィルタ２２の中心軸間の距離はＤである。ファスナー２１の第３表面２１１と第４表面２１２との間の垂直距離はＴである。ファスナー２１における異なる波長の光の反射角はαである。Ｄ＝２＊Ｔａｎ（α）＊Ｔである。
【００４０】
２つの隣接するフィルタ２２の中心軸間の距離Ｄは、限定ではないが好ましくは、２５０マイクロメートルから１５００マイクロメートルである。
【００４１】
一実施形態では、本発明が提供する光通信製品は、光ファイバーと複数のレーザとを含み、複数のレーザはそれぞれ異なる波長の光を放射するように構成され、光通信製品はさらに、光トランシーバ１００を含み、光トランシーバ１００は複数のレーザにより放射された異なる波長の光を受け取り、その異なる波長の光を光ファイバーに送り、多重化機能を実装する。
【００４２】
他の一実施形態では、本発明が提供する光通信製品は、光ファイバーとレシーバチップとを含み、光ファイバーはレシーバチップに異なる波長の光を送るように構成され、光通信製品はさらに、光トランシーバ１００を含み、光トランシーバ１００は光ファイバーにより送られた異なる波長の光を受け取り、その異なる波長の光をレシーバチップに送り、逆多重化機能を実装する。
【００４３】
図８は、本発明の一実施形態による光トランシーバを示す模式図である。光通信製品はＱＳＦＰ（Ｑｕａｄ  Ｓｍａｌｌ  Ｆｏｒｍ−ｆａｃｔｏｒ  Ｐｌｕｇｇａｂｌｅ）であってもよい。光通信製品は下部ボード３００と上部カバー４００とを含む。下部ボード３００と上部カバー３００は互いに係合し、光通信製品のハウジングを形成している。光トランシーバ１００はハウジングに収容されている。光ファイバー５００は光トランシーバ１００の光ファイバー収容部材３０に挿入されている。サブストレート６００は下部ボード３００上に配置されている。サブストレート６００はＰＣＢ、フレキシブルＰＣＢ、セラミックサブストレート、またはオーガニックボードであってもよい。光通信モジュールメインボード７００は、サブストレート６００上に配置され、レーザまたはレシーバチップは光通信モジュールメインボード７００上に配置される。
【００４４】
上記の説明は本発明の例示としての実施形態である。留意点として、本技術分野の当業者は、本発明の原理から逸脱することなく一定の改良を行っても良く、そうした改良は本発明の保護範囲に入る。
【図１】
2016212409.tif 000003
【図２】
2016212409.tif 000004
【図３】
2016212409.tif 000005
【図４】
2016212409.tif 000006
【図５】
2016212409.tif 000007
【図６】
2016212409.tif 000008
【図７】
2016212409.tif 000009
【図８】
2016212409.tif 000010
【外国語明細書】
2016212409000001.pdf